(57)【要約】      （修正有）【課題】かばんのポケットからかばん本体内に水が侵入する可能性を低減する。【解決手段】かばんＢ１は、かばん本体１００と、防水性または撥水性を有するインナーポケットとを備えている。かばん本体１００は、第１開口１１１が設けられた第１シート１１０を有している。インナーポケットは、第１シート１１０の内面に固定されており且つ第２開口を有している。第２開口は、第１開口１１１よりも上側に位置しており且つインナーポケットとかばん本体１００内とを連通させている。【選択図】図１
2019037637.tif 000002
【特許請求の範囲】
【請求項１】
第１開口が設けられた第１シートを有するかばん本体と、
前記第１シートの内面に設けられた防水性または撥水性を有するインナーポケットとを備えており、
前記インナーポケットは、前記第１開口よりも上側に位置しており且つ前記インナーポケットと前記かばん本体とを連通させる第２開口を有しているかばん。
【請求項２】
請求項１記載のかばんにおいて、
前記インナーポケットは、その前記第１開口に対向する部分から前記第２開口まで延びた遮水壁を有しているかばん。
【請求項３】
防水性または撥水性を有する第１シートを有するかばん本体と、
前記第１シートの外面に設けられたアウターポケットとを備えており、
前記アウターポケットは、第１開口とを有しており、
前記第１シート、または前記第１シートおよび前記アウターポケットの双方には、前記第１開口よりも上側に位置しており且つ前記かばん本体と前記アウターポケットとを連通させる連通孔が設けられているかばん。
【請求項４】
請求項３記載のかばんにおいて、
前記第１シートまたは前記アウターポケットは、その前記第１開口に対向する部分から前記連通孔まで延びた遮水壁を有しているかばん。
【発明の詳細な説明】
【技術分野】
【０００１】
本発明は、かばんに関する。
【背景技術】
【０００２】
従来のかばんが下記特許文献１に記載されている。このかばんは、かばん本体と、このかばん本体に設けられたポケットとが連通孔で通じている。
【先行技術文献】
【特許文献】
【０００３】
【特許文献１】特開２００２-２６２９６９号公報
【発明の概要】
【発明が解決しようとする課題】
【０００４】
ポケットを開いた状態で、従来のかばんが水に濡れると、水がポケットから連通孔を通じてかばん本体内に侵入する可能性がある。
【０００５】
本発明は、ポケットからかばん本体内に水が侵入する可能性を低減できるかばんを提供することにある。
【課題を解決するための手段】
【０００６】
上記課題を解決するために、本発明の一態様のかばんは、かばん本体と、防水性または撥水性を有するインナーポケットとを備えている。かばん本体は、第１開口が設けられた防水性または撥水性を有する第１シートを有している。インナーポケットは、第１シートの内面に固定されており且つ第２開口を有している。第２開口は、第１開口よりも上側に位置しており且つインナーポケットとかばん本体内とを連通させている。このような態様のかばんによる場合、仮に、開状態の第１開口から水がインナーポケット内に侵入しても、インナーポケットの第２開口が、かばん本体の第１開口よりも上側に位置しているので、水がインナーポケット内に貯留されるに止まり、インナーポケットの水が第２開口からかばん本体内に侵入する可能性が低減される。
【０００７】
インナーポケットは、遮水壁を有する構成とすることが可能である。この遮水壁は、インナーポケットの第１開口に対向する部分から第２開口まで延びた構成とすることが可能である。このような態様のかばんによる場合、第１開口から侵入した水がかばん本体内に入らないように遮水壁によって遮水される。
【０００８】
本発明の別の態様のかばんは、かばん本体と、防水性または撥水性を有するアウターポケットとを備えている。かばん本体は、防水性または撥水性を有する第１シートを有している。アウターポケットは、第１シートの外面に固定されている。アウターポケットは、第１開口を有している。第１シート、または第１シートおよびアウターポケットの双方には、かばん本体とアウターポケットとを連通させる連通孔が設けられている。連通孔は、第１開口よりも上側に位置している。このような態様のかばんによる場合、仮に、開状態の第１開口から水がアウターポケット内に侵入しても、連通孔が、アウターポケットの第１開口よりも上側に位置しているので、水がアウターポケット内に貯留されるに止まり、アウターポケット内の水が連通孔からかばん本体内に侵入する可能性が低減される。
【０００９】
第１シートまたはアウターポケットは、遮水壁を有する構成とすることが可能である。この遮水壁は、第１シートまたはアウターポケットの第１開口に対向する部分から連通孔まで延びた構成とすることが可能である。このような態様のかばんによる場合、第１開口から侵入した水がかばん本体内に入らないように遮水壁によって遮水される。
【図面の簡単な説明】
【００１０】
【図１】本発明の実施例１に係るかばんの正面、平面および右側面から表した斜視図である。
【図２】前記かばんの背面、平面および右側面から表した斜視図である。
【図３】前記かばんの図１中の概略的３−３断面図である。
【図４】前記かばんの図１中の概略的４−４断面図である。
【図５】前記かばんの第１設計変形例の図４に対応する概略的斜視図である。
【図６】前記かばんの第２設計変形例の図４に対応する概略的斜視図である。
【図７】本発明の実施例２に係るかばんの図４に対応する概略的断面図である。
【図８】前記かばんの設計変形例の図７に対応する概略的断面図である。
【発明を実施するための形態】
【００１１】
以下、本発明の実施例１及び２について説明する。
【実施例１】
【００１２】
以下、本発明の実施例１を含む実施例に係るかばんＢ１について図１〜図６を参照しつつ説明する。図１〜図４には、実施例１のかばんＢ１が示されている。図５には、実施例１のかばんＢ１の第１設計変形例が、図６には実施例１のかばんＢ１の第２設計変形例が示されている。このかばんＢ１はリュックサックである。かばんＢ１は、かばん本体１００と、インナーポケット２００とを備えている。以下、かばんＢ１の各部について詳しく説明する。なお、図１および図２に示すＸ−Ｘ’方向はかばんの幅方向であり、図１〜図６に示すＹ−Ｙ’方向はかばんの奥行き方向であり、図１〜図６に示すＺ−Ｚ’方向は、かばんの上下方向（高さ方向）である。図１〜図６では、Ｙ−Ｙ’方向はＸ−Ｘ’方向に直交しており、Ｚ−Ｚ’方向はＸ−Ｘ’方向およびＹ−Ｙ’方向に直交しているが、これに限定されるものではない。
【００１３】
かばん本体１００は、出入口１０１を有する袋体である。かばん本体１００は、出入口１０１の縁部を丸めて塞ぐことができる。この状態で、出入口１０１の縁部の両端の留め具を留めて、その状態を維持できる。なお、出入口１０１は線ファスナで開閉可能となっていても良いし、出入口１０１の縁部に紐が通され、当該出入口１０１が絞られて閉じられるようになっていても良いし、出入口１０１の縁部に設けられたフラップによって開閉可能となっていても良い。
【００１４】
かばん本体１００は、第１シート１１０、一対の第２シート１２０、第３シート１３０および第４シート１４０を有している。第１シート１１０は、かばん本体１００の正面部であり、第３シート１３０はかばん本体１００の背面部である。一対の第２シート１２０のうちの一方の第２シート１２０は、かばん本体１００のＸ方向の側面部であって、他方の第２シート１２０は、かばん本体１００のＸ’方向の側面部である。
【００１５】
第１シート１１０、第２シート１２０および第３シート１３０は、別体であっても良い。この場合、第１シート１１０のＸ方向の端部と一方の第２シート１２０のＹ方向の端部とが周知の固定手段で固定され、第３シート１３０のＸ方向の端部と一方の第２シート１２０のＹ’方向の端部とが周知の固定手段で固定され、第１シート１１０のＸ’方向の端部と他方の第２シート１２０のＹ方向の端部とが周知の固定手段で固定され、第３シート１３０のＸ’方向の端部と他方の第２シート１２０のＹ’方向の端部とが周知の固定手段で固定されている。このように固定されることによって、第１シート１１０、第２シート１２０および第３シート１３０は筒状をなしている。または、第１シート１１０、第２シート１２０および第３シート１３０は、一体的に構成され、筒状をなしていても良い。何れの場合も、第４シート１４０は、かばん本体１００の底部であって、第１シート１１０、第２シート１２０および第３シート１３０で構成される筒の下側開口を閉塞している。すなわち、第４シート１４０の周縁部が前記筒の下端部に周知の固定手段で固定されている。なお、前述の周知の固定手段としては、例えば、縫い付け、接着、溶着または圧着などであるが、これらに限定されるものではない。
【００１６】
第１シート１１０、第２シート１２０、第３シート１３０および第４シート１４０のうちの少なくとも一つが防水性または撥水性を有していても良いし、何れもが防水性を有していない構成とすることも可能である。各シートの固定部分には、防水剤または撥水剤が塗布されていても良い。
【００１７】
第１シート１１０には、第１開口１１１が設けられている。第１開口１１１は図１および図３に示すように線ファスナ１１２によって開閉可能となっていても良いし、第１シート１１０の第１開口１１１の縁部に図示しないフラップが設けられ、このフラップによって第１開口１１１が開閉可能となっていても良い。
【００１８】
インナーポケット２００は、防水性または撥水性を有しており且つ第１シート１１０の内面に設けられている。インナーポケット２００は、下記ａ）〜ｃ）の何れかの構成とすることが可能である。
ａ）インナーポケット２００は、図３および図４に示すような防水性または撥水性を有するインナーシート２１０を有している。この場合、インナーシート２１０のＺ方向の端部を除く部分が第１シート１１０の内面に上記周知の固定手段で固定され、インナーシート２１０のＺ方向の端部（固定されていない部分）と第１シート１１０との間に第２開口２２０が設けられている。
ｂ）インナーポケット２００は、図５に示すような防水性または撥水性を有するインナーシート２１０を有している。インナーシート２１０の周縁部が第１シート１１０の内面に上記周知の固定手段で固定され、インナーシート２１０に第２開口２２０が設けられている。
ｃ）インナーポケット２００は、図６に示すような防水性または撥水性を有する袋体２１０’を有している。この場合、インナーポケット２００の袋体２１０’が第１シート１１０の内面に上記周知の固定手段で固定されている。インナーポケット２００の袋体２１０’には、第２開口２２０、および第１開口１１１に通じる第３開口２１１’が設けられている。
なお、上記した何れかの態様のインナーポケット２００と第１シート１１０との固定部分には、防水剤または撥水剤が塗布されていても良い。
【００１９】
インナーポケット２００が上記した何れの態様であっても、第２開口２２０は、第１開口１１１よりも上側に位置しており且つインナーポケット２００とかばん本体１００とを連通させている。第２開口２２０が第１開口１１１よりも上側に位置しているため、第１開口１１１は、インナーポケット２００のインナーシート２１０または袋体２１０’の一部（以下、対向部と称する。）に対向している。インナーポケット２００の対向部から第２開口２２０までの部分が、第１開口１１１から侵入する水に対する遮水壁Ｗとして機能する。第１開口１１１から侵入し、遮水壁Ｗに当たった水は、アウターポケット３００内に落ちる。すなわち、遮水壁Ｗは、第１開口１１１から侵入した水がかばん本体１００内に入らないように遮水している。
【００２０】
なお、第１開口１１１、インナーポケット２００内部および第２開口２２０の大きさを腕や複数の指の外形よりも大きくした場合、第１開口１１１、インナーポケット２００および第２開口２２０を通じて手や複数の指を入れて、かばん本体１００内に物を出し入れすることが可能になる。
【００２１】
以上のようなかばんＢ１による場合、インナーポケット２００の第２開口２２０が、第１開口１１１よりも上側に位置しているので、仮にかばん本体１００の第１開口１１１から水がインナーポケット２００内に侵入しても、水が遮水壁Ｗに遮水されてインナーポケット２００内に貯留されるに止まり、インナーポケット２００内の水が第２開口２２０からかばん本体１００内に侵入する可能性が低減される。
【実施例２】
【００２２】
以下、本発明の実施例２を含む複数の実施例に係るかばんＢ２について図７を参照しつつ説明する。図７には、実施例２のかばんＢ２が示されており、図８にはその設計変形例が示されている。このかばんＢ２は、１）インナーポケット２００の代りに、アウターポケット３００を備えており、２）かばん本体１００’の第１シート１１０’の構成が、かばんＢ１のかばん本体１００の第１シート１１０の構成と相違し、３）アウターポケット３００が第１開口３１１を有しており、４）第２開口２２０に代えて連通孔４００が設けられている点で、実施例１のかばんＢ１と相違している。以下、その相違点について詳しく説明し、かばんＢ１と重複する説明は省略する。なお、図７および図８にもＹ−Ｙ’方向およびＺ−Ｚ’方向が示されている。Ｘ−Ｘ’方向については、図１および図２を借りて参照する。
【００２３】
アウターポケット３００は、防水性または撥水性を有しており且つ第１シート１１０’の外面に設けられている。アウターポケット３００は、下記ｄ）またはｅ）の構成を有している。
ｄ）アウターポケット３００は、図７に示すような防水性または撥水性を有するアウターシート３１０を有している。この場合、アウターシート３１０の周縁部が第１シート１１０’の外面に上記周知の固定手段で固定され、アウターシート３１０に第１開口３１１が設けられている。第１開口３１１は、図示しない線ファスナによって開閉可能となっていても良いし、第１開口３１１の縁部に図示しないフラップが設けられ、このフラップによって第１開口３１１が開閉可能となっていても良い。
ｅ）アウターポケット３００は、図８に示すような防水性または撥水性を有する袋体３１０’を有する構成とすることが可能である。この場合、アウターポケット３００の袋体３１０’が第１シート１１０’の外面に上記周知の固定手段で固定されている。アウターポケット３００の袋体３１０’が第１開口３１１を有している。この第１開口３１１は、ｄ）の第１開口３１１と同様の構成とすることが可能である。
上記した何れかの態様のアウターポケット３００と第１シート１１０’との固定部分には、防水剤または撥水剤が塗布されていても良い。
【００２４】
第１開口３１１は、線ファスナによって開閉可能となっていても良いし、アウターポケット３００の第１開口３１１の縁部に図示しないフラップが設けられ、このフラップによって第１開口３１１が開閉可能となっていても良い。
【００２５】
アウターポケット３００がアウターシート３１０を有する場合、第１シート１１０’のアウターシート３１０の対向部には連通孔４００が設けられている。アウターポケット３００が袋体３１０’を有する場合、第１シート１１０’およびアウターポケット３００の袋体３１０’には連通孔４００が設けられている。何れの場合も、連通孔４００は、第１開口３１１よりも上側に位置しており且つかばん本体１００’とアウターポケット３００とを連通させている。
【００２６】
連通孔４００が第１開口３１１よりも上側に位置しているため、上記ｄ）の場合（図７参照）、第１開口３１１は、かばん本体１００’の第１シート１１０’の一部（以下、対向部と称する。）に対向している。第１シート１１０’の対向部から連通孔４００までの部分が、第１開口３１１から侵入する水に対する遮水壁Ｗとして機能する。上記ｅ）の場合、アウターポケット３００の袋体３１０’の一部（以下、対向部と称する。）に対向している。アウターポケット３００の袋体３１０’の対向部から連通孔４００までの部分が、第１開口３１１から侵入する水に対する遮水壁Ｗとして機能する。第１開口３１１から侵入し、遮水壁Ｗに当たった水は、アウターポケット３００内に落ちる。すなわち、遮水壁Ｗは、第１開口３１１から侵入した水がかばん本体１００’内に入らないように遮水している。
【００２７】
なお、第１開口３１１、アウターポケット３００内部および連通孔４００の大きさを腕や複数の指の外形よりも大きくした場合、第１開口３１１、アウターポケット３００内部および連通孔４００を通じて手や複数の指を入れて、かばん本体１００’内に物を出し入れすることが可能になる。
【００２８】
以上のようなかばんＢ２による場合、連通孔４００が、アウターポケット３００の第１開口３１１よりも上側に位置しているので、仮にアウターポケット３００の第１開口３１１から水がアウターポケット３００内に侵入しても、水が遮水壁Ｗに遮水されてアウターポケット３００内に貯留されるに止まり、アウターポケット３００内の水が連通孔４００からかばん本体１００’内に侵入する可能性が低減される。
【００２９】
なお、上記したかばんは、上記実施例に限定されるものではなく、特許請求の範囲の記載範囲において任意に設計変更することが可能である。以下、詳しく述べる。
【００３０】
本発明のかばんのかばん本体は、上記した何れかの態様のインナーポケットまたはアウターポケットが設けられた第１シートを有している限りどのようなものであっても良い。本発明の第１シートは、かばん本体の正面部に限定されず、かばん本体の任意の箇所とすることが可能である。
【００３１】
本発明のかばんは、リュックサックに限定されず、トートバッグ、ウエストポーチ、ワンショルダーバッグ、ポーチなどであっても良い。なお、かばんの上下が不明なものについては、かばんが使用者に装着された状態または使用者がかばんを持った状態で、上記した何れかの態様の第２開口または連通孔が第１開口よりも上側に位置すれば良い。
【００３２】
なお、上記実施例の各態様および設計変形例におけるかばんの各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。
【符号の説明】
【００３３】
Ｂ１：かばん
１００：本体
１０１：出入口
１１０：第１シート
１１１：第１開口
１１２：線ファスナ
１２０：第２シート
１３０：第３シート
１４０：第４シート
２００：インナーポケット
２１０：インナーシート
２１０’：袋体
２２０：第２開口
Ｂ２：かばん
１００’：本体
１０１：出入口
１１０’：第１シート
１２０：第２シート
１３０：第３シート
１４０：第４シート
３００：アウターポケット
３１０：アウターシート
３１０’：袋体
３１１：第１開口
４００：連通孔
【図１】
2019037637.tif 000003
【図２】
2019037637.tif 000004
【図３】
2019037637.tif 000005
【図４】
2019037637.tif 000006
【図５】
2019037637.tif 000007
【図６】
2019037637.tif 000008
【図７】
2019037637.tif 000009
【図８】
2019037637.tif 000010